(57)【要約】【課題】話者がマイクロホンに近づけば近づくほど電荷が除去されて電撃ショックを受けなくすることができる徐電機能を付加したマイクロホン設置構造の提供。【解決手段】設置されたマイクロホン２１の近傍位置には、話者Ｈ方向に向けて中和イオンＩを発生させる除電器１１を配設した。該除電器１１には、マイクロホン２１のファントム電源により動作させる圧電トランスを具備させた。マイクロホン２１の近傍位置としては、グースネックマイクロホン２２内としたり、マイクロホン２１が設置されている支持台３１とすることができる。また、除電器１１には、圧電バイモルフファン１６を具備させておくこともできる。【選択図】図２
2009272937.tif 000002
【特許請求の範囲】
【請求項１】
設置されたマイクロホンの近傍位置には、話者方向に向けて中和イオンを発生させる除電器を配設したことを特徴とする徐電機能を付加したマイクロホン設置構造。
【請求項２】
前記除電器は、前記マイクロホンのファントム電源により動作させる圧電トランスを備える請求項１に記載の徐電機能を付加したマイクロホン設置構造。
【請求項３】
マイクロホンの前記近傍位置は、グースネックマイクロホン内である請求項１または２に記載の徐電機能を付加したマイクロホン設置構造。
【請求項４】
マイクロホンの前記近傍位置は、前記マイクロホンが設置されている支持台である請求項１または２に記載の徐電機能を付加したマイクロホン設置構造。
【請求項５】
前記除電器には、圧電バイモルフファンを具備させた請求項１ないし４のいずれかに記載の徐電機能を付加したマイクロホン設置構造。
【発明の詳細な説明】
【技術分野】
【０００１】
本発明は、帯電状態にある話者がマイクロホン側に触れた際に不快な電撃ショックを受けないようにすることができる徐電機能を付加したマイクロホン設置構造に関する技術である。
【背景技術】
【０００２】
会議や講演会などでは、話者の声が遠くまで届くように演台等の支持台に設置されたマイクロホンが使用されており、その際にマイクロホンの位置を変えることができるグースネックマイクロホンが多く用いられる傾向にある。
【０００３】
また、グースネックマイクロホンを含む各種のマイクロホンは、不特定多数の話者により使用されるものであることから、例えば下記特許文献１に開示されているように殺菌機能が付与されているものもある。
【特許文献１】実開平７−２５６８９号公報
【０００４】
一方、冬期などの乾燥した時期における講演会などの話者は、スピーチするために椅子から立ち上がったり、演台等の支持台位置にまで歩行した際などに摩擦や剥離帯電で人体に帯電しがちである。
【０００５】
このように帯電した状態にある話者は、マイクロホンとの間に電位差が発生し、マイクロホンに接近するとパッシェンの法則にしたがって火花放電を発生させる。
【０００６】
特に、マイクロホンとしてグースネックマイクロホンが用いられる場合には、話者がこれに触れてその位置を調整しようと手指を接近させた際に火花放電が発生し、人体側に電撃ショックを与えることになる。
【０００７】
このようにして発生する火花放電は、話者に不快感を与えたり、状況によっては着火等の事故の原因にもなるほか、マイクロホン側に放電電流が流れることで放電ノイズを発生させることにもなる。
【０００８】
このため、本願出願人は、下記特許文献２に示すように、グースネックの触手部位に短繊維を電気植毛してフロック層を形成し、該フロック層に帯電防止処理を施すことで火花放電を発生させないようにした「マイクロホン装置」を提案している。
【特許文献２】特開２００６−１９８５８号公報
【発明の開示】
【発明が解決しようとする課題】
【０００９】
しかし、上記特許文献２の「マイクロホン装置」による場合には、話者が急激にグースネックスタンドを掴むなど、急に帯電体側が移動するようなときに中和が追いつかず、放電を発生させてしまうという問題があった。
【００１０】
また、人体を帯電させない方法としては、床に水を撒いたり、周辺湿度を帯電しない程度の高湿度とすることも一応は考えられるものの、現実的ではない。
【００１１】
本発明は、従来技術の上記課題に鑑み、マイクロホンの近傍位置に中和イオンを多く存在させて、話者がマイクロホンに近づけば近づくほど電荷が除去されて電撃ショックを受けなくすることができる徐電機能を付加したマイクロホ設置構造を提供することに目的がある。
【課題を解決するための手段】
【００１２】
本発明は、上記目的を達成すべくなされたものであり、設置されたマイクロホンの近傍位置には、話者方向に向けて中和イオンを発生させる除電器を配設したことを最も主要な特徴とする。
【００１３】
この場合、前記除電器には、前記マイクロホンのファントム電源により動作させる圧電トランスを具備させるのが好ましい。
【００１４】
また、マイクロホンの前記近傍位置は、グースネックマイクロホン内としたり、前記マイクロホンが設置されている支持台とすることができる。さらに、前記除電器には、圧電バイモルフファンを具備させておくのが望ましい。
【発明の効果】
【００１５】
本発明によれば、徐電器によりマイクロホンの近傍位置に中和イオンを多く存在させておくことができるので、話者がマイクロホンに近づけば近づくほど電荷を除去して電撃ショックを受けることなく快適に使用することができる。
【００１６】
しかも、徐電器が圧電バイモルフファンを備えている場合には、より効率よく中和イオンを話者側に送り出すことができる。
【発明を実施するための最良の形態】
【００１７】
図１は、本発明を構成する徐電器と圧電バイモルフファンおよびその給電回路の一例を示す説明図であり、図２は、本発明の一例を模式的に示す状態説明図である。
【００１８】
これらの図によれば、徐電器１１は、圧電トランス１５から供給される交流電圧が印加される放電針１２と放電電極１３とを備え、数μＡの放電電流のもとでプラスイオンとマイナスイオンとを中和イオンＩとして交互に発生させることができるようになっている。
【００１９】
また、徐電器１１の近傍には、圧電バイモルフファン１６が配設されており、徐電器１１が発生させる中和イオンＩを話者Ｈ側に効率よく送ることができるようになっている。
【００２０】
しかも、徐電器１１に交流電圧を印加する圧電トランス１５は、数ｍＷの電力で出力端の電圧を昇圧できるので、マイクロホン２１側に給電するＨＯＴ側平衡マイクケーブル２６とＣＯＬＤ側平衡マイクケーブ２７との間に介在させたインダク２８と結線されている高周波発信器２９と接続させることで、マイクロホン２１のファントム電源を利用することができる。
【００２１】
また、圧電バイモルフファン１６は、圧電トランス１５と同様にインダクタ２８と結線されている低周波発信器３０と接続することで、マイクロホン２１のファントム電源を利用して動作させることができる。
【００２２】
このようにして動作させることができる徐電器１１と圧電バイモルフファン１６とは、図２に示すように支持台３１上に設置されているマイクロホン２１の近傍位置に配設されることになる。
【００２３】
すなわち、マイクロホン２１が設置される支持台３１は、話者Ｈのための演台３２として床面３３上に配置されており、該演台３２上にマイクロホン２１が設置されている。
【００２４】
この場合、マイクロホン２１は、スピーカーや各種の操作ボタンが配設されている設置台２３と、該設置台２３上に配設されたグースネックスタンド２４と、該グースネックスタンド２４の先端部に取り付けられているマイクロホンユニットとからなるグースネックマイクロホン２２として構成されている。
【００２５】
一方、徐電器１１と圧電バイモルフファン１６とは、グースネックマイクロホン２２における設置台２３内に配設しておくことで、グースネックスタンド２４の適位置に設けられている吹出し口２４ａから話者Ｈの上半身方向に向けて中和イオンＩを送り出すことができることになる。
【００２６】
また、徐電器１１と圧電バイモルフファン１６とは、マイクロホンの近傍位置である演台３２の天板３２ａ下に確保される内部空間を利用して配設し、話者Ｈの腹部方向に向けて中和イオンＩを送り出すようにしてもよい。
【００２７】
次に、上記構成からなる本発明の作用・効果を図示例に基づいて説明すれば、演台３２に向かう話者Ｈは、床面３３上を歩く際の摩擦や剥離帯電などにより人体が帯電した状態のもとで、演台３２上に設置されているグースネックマイクロホン２２側に接近することになる。
【００２８】
このとき、グースネックマイクロホン２２の設置台２３内には、ファントム電源を利用して動作させることができる徐電器１１と圧電バイモルフファン１６とが収容されている。
【００２９】
このため、徐電器１１では、例えば約２ｋｖの交流を発生させ、不平等電界で数μＡの放電電流を放電させて両極性の中和イオンＩを発生させることができる。
【００３０】
該中和イオンＩは、圧電バイモルフファン１６の支援のもとで、グースネックスタンド２４内から吹出し口２４ａを経由して外部へと効率よく送り出される。
【００３１】
したがって、演台３２に到達した話者Ｈは、グースネックスタンド２４の吹出し口２４ａから送り出されてくる中和イオンＩを浴び、帯電電荷が中和されて徐電されることになる。
【００３２】
このため、話者Ｈの人体は、マイクロホン２１側との間に電位差がなくなっているので、マイクロホンユニット２５の位置を直そうとして話者Ｈがグースネックスタンド２４側に手指で触れても電撃ショックを受けることはなく、快適に接触使用することができる。
【００３３】
しかも、徐電器１１と圧電バイモルフファン１６とは、マイクロホン２１のファントム電源を利用して動作させることができるので、別途配線する作業を不要にして作業性の改善と演台３２周りのコード配線の簡素化とを実現することもできる。
【００３４】
以上は、本発明を図示例に基づいて説明したものであり、その具体的な構成はこれに限定されるものではない。例えば、徐電器１１と圧電バイモルフファン１６とは、マイクロホンのファントム電源以外の電源を用いて動作させることもできる。また、徐電器１１は、圧電バイモルフファン１６を設置せずに単独で用いることもできる。
【図面の簡単な説明】
【００３５】
【図１】本発明を構成する徐電器と圧電バイモルフファンおよびその給電回路の一例を示す説明図。
【図２】本発明の一例を模式的に示す状態説明図。
【符号の説明】
【００３６】
１１  徐電器
１２  放電針
１３  放電電極
１５  圧電トランス
１６  圧電バイモルフファン
２１  マイクロホン
２２  グースネックマイクロホン
２３  設置台
２４  グースネックスタンド
２４ａ  吹出し口
２５  マイクロホンユニット
２６  ＨＯＴ側平衡ケーブル
２７  ＣＯＬＤ側平衡ケーブル
２８  インダクタ
２９  高周波発信回路
３０  低周波発信回路
３１  支持台
３２  演台
３２ａ  天板
３３  床面
Ｈ  話者
Ｉ  中和イオン
【図１】
2009272937.tif 000003
【図２】
2009272937.tif 000004